【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
ピアツーピア通信ネットワークのネットワークコーディネータデバイスで、前記ピアツーピア通信ネットワークに関連付けられたすべてのクライアントデバイスが直接データ通信をサポートするかどうか決定することと、
前記クライアントデバイスのすべてが直接データ通信をサポートすると決定することに応じて、前記ネットワークコーディネータデバイスに関連付けられたビーコン間隔の開始時間に、前記ネットワークコーディネータデバイスに対してアウェイクモードを開始すること、および前記ビーコン間隔の事前定義された時時間期間の間、前記アウェイクモードを維持することと、
前記ネットワークコーディネータデバイスと、前記ピアツーピア通信ネットワークに接続するように試みる新規クライアントデバイスとの間のハンドシェイク動作が前記アウェイクモードの維持の間に完了しなかったことを検出することに応じて、前記ハンドシェイク動作を完了するために前記アウェイクモードの維持を拡張することと、
前記アウェイクモードを維持した後に前記ネットワークコーディネータデバイスに対してスリープモードを開始すること、およびクライアントデバイスがアウェイクモードであるときに前記ビーコン間隔の完了まで前記スリープモードを維持することと
を備える、方法。
【請求項２】
前記ネットワークコーディネータデバイスは、前記ピアツーピア通信ネットワークのグループオーナとして動作するように構成される、
請求項１に記載の方法。
【請求項３】
前記ビーコン間隔の前記開始時間にビーコンフレームを送信することをさらに備え、前記ビーコン間隔の前記事前定義された時間期間の間、前記アウェイクモードを前記維持することは、前記ビーコン間隔に関連付けられた事前定義されたコンテンションウィンドウ期間の間、前記アウェイクモードを維持することを備える、
請求項１に記載の方法。
【請求項４】
クライアント要求が前記アウェイクモードの維持の間に満たされないことを検出することに応答して、前記クライアント要求を満たすために、前記ネットワークコーディネータデバイスのための前記事前定義された時間期間を過ぎて前記アウェイクモードの維持を拡張することをさらに備え、拡張することは前記クライアント要求のタイプに少なくとも部分的に基づく、
請求項１に記載の方法。
【請求項５】
前記拡張することは、前記クライアント要求が満たされるまで前記アウェイクモードの維持を連続的に拡張する、またはさらに事前定義された時間だけ前記ビーコン間隔の前記アウェイクモードを拡張することを備える、請求項４に記載の方法。
【請求項６】
第２の新規クライアントデバイスとの第２のハンドシェイク動作を完了することと、前記第２の新規クライアントデバイスが前記ネットワークコーディネータデバイスを介して前記ピアツーピア通信ネットワークに接続したと決定することとに応じて、前記第２の新規クライアントデバイスが直接データ通信をサポートするかどうか決定することをさらに備える、
請求項１に記載の方法。
【請求項７】
前記第２の新規クライアントデバイスが直接データ通信をサポートしないと決定することに応じて、前記ネットワークコーディネータデバイスで従来の省電力メカニズムを実装する、
請求項６に記載の方法。
【請求項８】
前記クライアントデバイスは、前記ネットワークコーディネータデバイスを介して前記ピアツーピア通信ネットワークに接続される第２のクライアントデバイスを含む、請求項１に記載の方法。
【請求項９】
ピアツーピア通信ネットワークのグループオーナで、前記ピアツーピア通信ネットワークに関連付けられたすべてのクライアントデバイスが直接データ通信をサポートするかどうか決定することと、
前記クライアントデバイスのすべてが直接データ通信をサポートすると決定することに応じて、前記グループオーナに関連付けられたビーコン間隔の開始時間に前記グループオーナに対してアウェイクモードを開始することと、前記ビーコン間隔の事前定義された時間間隔の間、前記アウェイクモードを維持することと、
前記グループオーナと、前記ピアツーピア通信ネットワークに接続するように試みる新規クライアントデバイスとの間のハンドシェイク動作が前記アウェイクモードの維持の間に完了されなかったことを検出することに応じて、前記ハンドシェイク動作を完了するために前記アウェイクモードの維持を拡張することと、
前記ビーコン間隔の前記アウェイクモードの後で前記グループオーナに対してスリープモードを開始することと、クライアントデバイスがアウェイクモードであるときに前記ビーコン間隔の終了まで前記スリープモードを維持することと
を備える、方法。
【請求項１０】
新規クライアントデバイス要求またはクライアント要求が前記アウェイクモードの維持中に満たされないことを検出することに応じて、前記新規クライアントデバイス要求または前記クライアント要求を満たすために、前記グループオーナのための前記アウェイクモードの維持を拡張することをさらに備え、拡張することは未解決のクライアント要求の数に少なくとも部分的に基づく、請求項９に記載の方法。
【請求項１１】
前記クライアントデバイスのうちの少なくとも１つが直接データ通信をサポートしないと決定することに応じて、前記グループオーナで従来の省電力メカニズムを実装する、
請求項９に記載の方法。
【請求項１２】
ネットワークコーディネータデバイスであって、
プロセッサと、
前記プロセッサに接続されるメモリと
を備え、前記メモリは、その上に格納された命令を有し、前記命令は、前記プロセッサによって実行された場合、前記ネットワークコーディネータデバイスに、
ピアツーピア通信ネットワークに関連付けられたすべてのクライアントデバイスが直接データ通信をサポートするかどうか決定することと、
前記クライアントデバイスのすべてが直接データ通信をサポートすると決定することに応じて、前記ネットワークコーディネータデバイスに関連付けられたビーコン間隔の開始時間に、前記ネットワークコーディネータデバイスに対してアウェイクモードを開始すること、および前記ビーコン間隔の事前定義された時間間隔の間、前記アウェイクモードを維持することと、
前記ネットワークコーディネータデバイスと前記ピアツーピア通信ネットワークに接続するように試みる新規クライアントデバイスとの間のハンドシェイク動作が前記アウェイクモードの維持の間に完了しなかったことを検出することと、
前記ハンドシェイク動作が完了しなかったことを検出することに応じで前記アウェイクモードの維持を拡張することと、
前記アウェイクモードの維持の後に前記ネットワークコーディネータデバイスに対してスリープモードを開始すること、およびクライアントデバイスがアウェイクモードであるときに前記ビーコン間隔の完了まで前記スリープモードを維持することと
を行わせる、ネットワークコーディネータデバイス。
【請求項１３】
前記ネットワークコーディネータデバイスは、前記ピアツーピア通信ネットワークのグループオーナとして動作するように構成される、
請求項１２に記載のネットワークコーディネータデバイス。
【請求項１４】
前記命令は、前記ネットワークコーディネータデバイスに、
クライアント要求が前記アウェイクモードの維持の間に満たされないことを検出することと、
前記クライアント要求が前記アウェイクモードの維持の間に満たされないことを検出することに応じて前記アウェイクモードの維持を拡張することと
を行わせるための命令をさらに含む、請求項１２に記載のネットワークコーディネータデバイス。
【請求項１５】
前記命令は、前記クライアントデバイスのうちの少なくとも１つが直接データ通信をサポートしないと決定することに応じて、前記ネットワークコーディネータデバイスに従来の省電力メカニズムを実装させるための命令を更に含む、請求項１２に記載のネットワークコーディネータデバイス。
【請求項１６】
その上に格納された命令を有する非一時的な機械可読媒体であって、前記命令は、１つまたは複数のプロセッサによって実行された場合、デバイスに、
ピアツーピア通信ネットワークに関連付けられたすべてのクライアントデバイスが直接データ通信をサポートするかどうか決定することと、
前記クライアントデバイスのすべてが直接データ通信をサポートすると決定することに応じて、ビーコン間隔の開始時間にアウェイクモードを開始すること、および前記ビーコン間隔の事前定義された時間期間の間、前記アウェイクモードを維持することと、
ネットワークコーディネータデバイスと、前記ピアツーピア通信ネットワークに接続するように試みる新規クライアントデバイスとの間のハンドシェイク動作が前記アウェイクモードの維持の間に完了されなかったことを検出することと、
前記ハンドシェイク動作が完了されなかったことを検出することに応じて前記アウェイクモードの維持を拡張することと、
前記アウェイクモードの維持の後にスリープモードを開始すること、およびクライアントデバイスがアウェイクモードであるときに前記ビーコン間隔の完了まで前記スリープモードを維持することと
を備える動作を実行させる、非一時的な機械可読媒体。
【請求項１７】
前記動作は、新規クライアントデバイス要求またはクライアント要求が前記アウェイクモードの維持の間に満たされないことを検出することと、前記新規クライアントデバイス要求または前記クライアント要求が満たされないことを検出することに応じて前記アウェイクモードの維持を拡張することをさらに備える、請求項１６に記載の非一時的な機械可読媒体。
【請求項１８】
ネットワークコーディネータデバイスであって、
ピアツーピア通信ネットワークに関連付けられたすべてのクライアントデバイスが直接データ通信をサポートするかどうか決定するための手段と、
前記クライアントデバイスのすべてが直接データ通信をサポートすると決定することに応じて、前記ネットワークコーディネータデバイスに関連付けられたビーコン間隔の開始時間に、前記ネットワークコーディネータデバイスに対してアウェイクモードを開始し、前記ビーコン間隔の事前定義された時間期間の間、前記アウェイクモードを維持するための手段と、
前記ネットワークコーディネータデバイスと前記ピアツーピア通信ネットワークに接続するように試みる新規クライアントデバイスとの間のハンドシェイク動作が前記アウェイクモードの維持の間に完了しなかったことを検出するための手段と、
前記ハンドシェイク動作が完了しなかったことを検出することに応じで前記アウェイクモードの維持を拡張するための手段と、
前記クライアントデバイスのすべてが直接データ通信をサポートすると決定することに応じて、前記アウェイクモードの維持の後に前記ネットワークコーディネータデバイスに対してスリープモードを開始し、クライアントデバイスがアウェイクモードであるときに前記ビーコン間隔の完了まで前記スリープモードを維持するための手段と
を備えるネットワークコーディネータデバイス。
【請求項１９】
新規クライアントデバイス要求またはクライアント要求が前記アウェイクモードの維持中に満たされていないことを検出するための手段と、前記新規クライアントデバイス要求または前記クライアント要求が満たされていないことを検出するための手段に応じて、前記アウェイクモードの維持を拡張するための手段と
をさらに備える、請求項１８に記載のネットワークコーディネータデバイス。